(57)【要約】    【課題】  重畳領域に投写される光を正確に遮光するための複雑な機構を有する遮光板やそのような遮光板を正確に位置決めするための複雑な機構を必要とすることなく、上記した「黒浮き模様」の発生を抑制することができるマルチプロジェクションディスプレイを提供する。    【解決手段】  複数の投写画像を投写面上に一部重畳した状態でタイリング投写するマルチプロジェクションディスプレイにおいて、  液晶装置３２ＲＡ，３２ＲＢ，３２ＲＣ，３２ＲＤ，３２ＧＡ，３２ＧＢ，３２ＧＣ，３２ＧＤ，３２ＢＡ，３２ＢＢ，３２ＢＣ，３２ＢＤにおいては、重畳領域に投写される投写画像を生成する第１領域Ｒ１における実効画素面積は、非重畳領域に投写される投写画像を生成する第２領域Ｒ２における実効画素面積よりも小さく設定されていることを特徴とするマルチプロジェクションディスプレイ。【選択図】  図９
2006053205.tif 000002
【特許請求の範囲】
【請求項１】
それぞれが電気光学変調装置を有する複数のプロジェクタユニットを有し、前記複数のプロジェクタユニットから投写される複数の投写画像を投写面に一部重畳した状態でタイリング投写するマルチプロジェクションディスプレイにおいて、
前記電気光学変調装置においては、投写画像が投写面に重畳した状態で投写される重畳領域に投写される投写画像を生成する第１領域における平均光通過率は、投写画像が投写面に重畳されない状態で投写される非重畳領域に投写される投写画像を生成する第２領域における平均光通過率よりも小さく設定されていることを特徴とするマルチプロジェクションディスプレイ。
【請求項２】
請求項１に記載のマルチプロジェクションディスプレイにおいて、
前記第１領域は、投写画像が前記重畳領域に重畳される重畳数に応じて複数の領域に分割され、
前記複数の領域における平均光通過率は、前記重畳数に応じて設定されていることを特徴とするマルチプロジェクションディスプレイ。
【請求項３】
請求項２に記載のマルチプロジェクションディスプレイにおいて、
前記複数の領域における平均光通過率は、前記第２領域から離れるにしたがって徐々に小さくなるように設定されていることを特徴とするマルチプロジェクションディスプレイ。
【請求項４】
請求項１〜３のいずれかに記載のマルチプロジェクションディスプレイにおいて、
前記第１領域における実効画素面積は、前記第２領域における実効画素面積よりも小さく設定されていることを特徴とするマルチプロジェクションディスプレイ。
【請求項５】
請求項１〜３のいずれかに記載のマルチプロジェクションディスプレイにおいて、
前記第１領域における各画素の光透過率又は光反射率は、前記第２領域における各画素の光透過率又は光反射率よりも小さく設定されていることを特徴とするマルチプロジェクションディスプレイ。
【請求項６】
請求項５に記載のマルチプロジェクションディスプレイにおいて、
前記第１領域における各画素を通る光の光路上には半透光性部材が存在することを特徴とするマルチプロジェクションディスプレイ。
【請求項７】
請求項１〜３のいずれかに記載のマルチプロジェクションディスプレイにおいて、
前記第１領域における画素密度は、前記第２領域における画素密度よりも小さく設定されていることを特徴とするマルチプロジェクションディスプレイ。
【請求項８】
請求項７に記載のマルチプロジェクションディスプレイにおいて、
前記電気光学変調装置は、第１領域における画素が第２の画素よりも画素密度の低い状態で形成されていることを特徴とするマルチプロジェクションディスプレイ。
【請求項９】
請求項７に記載のマルチプロジェクションディスプレイにおいて、
前記電気光学変調装置は、前記第１領域における本来の画素（以下、「本来画素」という。）のうち一部の本来画素からの光を利用できなくすることにより前記第１領域の画素密度が小さく設定されていることを特徴とするマルチプロジェクションディスプレイ。
【請求項１０】
請求項９に記載のマルチプロジェクションディスプレイにおいて、
前記第１領域における本来画素のうち一部の本来画素を通る光の光路上には不透光性部材又は光偏向部材が存在することを特徴とするマルチプロジェクションディスプレイ。
【請求項１１】
請求項９に記載のマルチプロジェクションディスプレイにおいて、
前記電気光学変調装置は液晶装置であって、前記第１領域における本来画素のうち一部の本来画素は、しきい値電圧から十分離れた電圧が印加されることにより常に光非透過状態とされていることを特徴とするマルチプロジェクションディスプレイ。
【請求項１２】
請求項１１に記載のマルチプロジェクションディスプレイにおいて、
撮像装置による投写面の撮影結果に基づいて、前記第１領域における前記一部の本来画素を決定する機能を有することを特徴とするマルチプロジェクションディスプレイ。
【請求項１３】
請求項１〜１２のいずれかに記載のマルチプロジェクションディスプレイに用いるためのプロジェクタユニットであって、
前記第１領域における平均光通過率が前記第２領域における平均光通過率よりも小さく設定された電気光学変調装置を有することを特徴とするプロジェクタユニット。
【請求項１４】
請求項１〜１２のいずれかに記載のマルチプロジェクションディスプレイに用いるための電気光学変調装置であって、
前記第１領域における平均光通過率は、前記第２領域における平均光通過率よりも小さく設定されていることを特徴とする電気光学変調装置。
【発明の詳細な説明】
【技術分野】
【０００１】
本発明は、マルチプロジェクションディスプレイ、プロジェクタユニット及び電気光学変調装置に関する。
【背景技術】
【０００２】
図２５は、マルチプロジェクションディスプレイを説明するために示す図である。このマルチプロジェクションディスプレイは、図２５に示すように、複数のプロジェクタユニットＰＪＡ，ＰＪＢ，ＰＪＣ，ＰＪＤを水平方向及び／又は垂直方向に配置し、これらの複数のプロジェクタユニットＰＪＡ，ＰＪＢ，ＰＪＣ，ＰＪＤからの単位投写画像ＩＡ，ＩＢ，ＩＣ，ＩＤをスクリーンＳＣＲにタイリング投写することにより１つの大画面画像Ｉを表示する。このマルチプロジェクションディスプレイは、通常のプロジェクタに比較して、高精細かつ高輝度の画像を表示することができるため、映画館、美術館、博物館、セミナー会場、集会場、ミニシアター、公共機関、企業などの業務用分野やアミューズメント、ホームシアターなどの家庭用分野において今後広く普及されていくことが期待されている。
【０００３】
ところで、液晶装置を用いたプロジェクタにおいては、いわゆる「黒浮き」という問題があることが知られている。図２６は、液晶装置を用いたプロジェクタにおける「黒浮き」を説明するために示す図である。
液晶装置を用いたプロジェクタＰＪにおいては、白表示に対応するオン信号Ｉｍａｘを液晶装置に与えたときに「白」が表示され、黒表示に対応するオフ信号Ｉｍｉｎを液晶装置に与えたときに「黒」が表示され、白表示と黒表示との間の中間調に対応する中間調信号を液晶装置に与えたときに「白と黒との中間調」が表示される。
【０００４】
しかしながら、黒表示に対応するオフ信号Ｉｍｉｎを液晶装置に与えた場合であっても、実際には液晶装置は完全に閉じた状態にはならずに光を多少は透過してしまうのが現状である。このため、スクリーン上で「本当の黒（全く光が出ない黒）」を表示しようとしても、実際には「本当の黒」を表示することはできず、図２６に示すように、「本当の黒よりも若干明るい黒」が表示されることになる。これを「黒浮き」という。なお、この「黒浮き」は、液晶装置を用いたプロジェクタのみならず、他の電気光学変調装置を用いたプロジェクタにおいても起こり得る。
【０００５】
図２７は、マルチプロジェクションディスプレイにおける「黒浮き模様」を説明するために示す図である。
マルチプロジェクションディスプレイにおける「黒浮き模様」の問題は、上記したプロジェクタにおける「黒浮き」の問題よりも深刻である。すなわち、マルチプロジェクションディスプレイにおいては、例えば画面全体を黒く表示したい場合であっても、各プロジェクタユニットＰＪＡ，ＰＪＢ，ＰＪＣ，ＰＪＤからの投写光が重畳投写される重畳領域ＳＡＢ，ＳＡＣ，ＳＡＢＣＤ，ＳＢＤ，ＳＣＤでは、マルチプロジェクションディスプレイからの「黒」に係る投写光も重畳投写されることになり、その結果、これらの重畳領域ＳＡＢ，ＳＡＣ，ＳＡＢＣＤ，ＳＢＤ，ＳＣＤが明るい模様となって視認されてしまうのである。この出願においては、これを「黒浮き模様」ということにする。
【０００６】
なお、このようなマルチプロジェクションディスプレイにおいて、各プロジェクタユニットＰＪＡ，ＰＪＢ，ＰＪＣ，ＰＪＤからの投写光が重畳投写される重畳領域ＳＡＢ，ＳＡＣ，ＳＡＢＣＤ，ＳＢＤ，ＳＣＤについては、各プロジェクタユニットＰＪＡ，ＰＪＢ，ＰＪＣ，ＰＪＤからの投写光量を低下させて、これらの領域を目立たないようにする技術が知られている（例えば、特許文献１参照。）。しかしながら、「黒」表示に係る投写光量は、これ以上低下させることはできないため、この技術では「黒浮き模様」の発生を抑制することができない。
【０００７】
図２８は、このような「黒浮き模様」の発生を抑制することができる従来のマルチプロジェクションディスプレイを説明するために示す図である。図２８（ａ）は従来のマルチプロジェクションディスプレイの構成を示す図であり、図２８（ｂ）は遮光板の構造を示す図である。
このマルチプロジェクションディスプレイ９００においては、図２８（ａ）に示すように、それぞれのプロジェクタユニットＰＪＡ，ＰＪＢ，ＰＪＣとスクリーンＳＣＲとの間に遮光板９１０Ａ，９１０Ｂ，９１０Ｃが配置されている。そして、この遮光板９１０Ａ，９１０Ｂ，９１０Ｃは、それぞれが図２８（ｂ）に示すような構造を有している（例えば、特許文献２参照。）。
【０００８】
このため、このマルチプロジェクションディスプレイ９００によれば、各プロジェクタユニットＰＪＡ，ＰＪＢ，ＰＪＣからの投写光が重畳投写される重畳領域ＳＡＢ，ＳＢＣにおいては、遮光板９１０Ａ，９１０Ｂ，９１０Ｃの作用によって、「本当の黒よりも若干明るい黒」を表示する投写光における投写光量が減じられることになるため、これらの重畳領域ＳＡＢ，ＳＢＣにおける「黒浮き模様」の発生が抑制されるようになる。
【０００９】
【特許文献１】特開平６−１７８３２７号公報
【特許文献２】特開２００１−２６８４７６号公報
【発明の開示】
【発明が解決しようとする課題】
【００１０】
しかしながら、このような従来のマルチプロジェクションディスプレイにおいては、各プロジェクタユニットからの投写光を遮光板により遮光することとしているため、各プロジェクタユニットからの投写光が重畳投写される部分を正確に遮光することのできる複雑な機構を有する遮光板が必要になるという問題点があった。また、このような従来のマルチプロジェクションディスプレイにおいては、そのような遮光板を正確に位置決めするための複雑な機構が必要になるという問題点があった。
【００１１】
そこで、本発明は、重畳領域に投写される光を正確に遮光するための複雑な機構を有する遮光板やそのような遮光板を正確に位置決めするための複雑な機構を必要とすることなく、上記した「黒浮き模様」の発生を抑制することができるマルチプロジェクションディスプレイを提供することを目的とする。また、そのようなマルチプロジェクションディスプレイに好適に用いることができるプロジェクタユニット及び電気光学変調装置を提供することを目的とする。
【課題を解決するための手段】
【００１２】
（１）本発明のマルチプロジェクションディスプレイは、それぞれが電気光学変調装置を有する複数のプロジェクタユニットを有し、前記複数のプロジェクタユニットから投写される複数の投写画像を投写面に一部重畳した状態でタイリング投写するマルチプロジェクションディスプレイにおいて、前記電気光学変調装置においては、投写画像が投写面に重畳した状態で投写される重畳領域に投写される投写画像を生成する第１領域における平均光通過率は、投写画像が投写面に重畳されない状態で投写される非重畳領域に投写される投写画像を生成する第２領域における平均光通過率よりも小さく設定されていることを特徴とする。
【００１３】
このため、本発明のマルチプロジェクションディスプレイによれば、第１領域における平均光通過率は、第２領域における平均光通過率よりも小さく設定されているため、重畳領域においては「本当の黒よりも若干明るい黒」を表示する投写光における投写光量が減じられることになるため、重畳領域における「黒浮き模様」の発生が抑制されるようになる。
【００１４】
また、本発明のマルチプロジェクションディスプレイによれば、電気光学変調装置の第１領域における平均光通過率を第２領域における平均光通過率よりも小さく設定することで「黒浮き模様」の発生を抑制することとしたため、重畳領域に投写される光を正確に遮光するための複雑な機構を有する遮光板やそのような遮光板を正確に位置決めするための複雑な機構を必要とすることがなくなり、本発明の目的が達成される。
【００１５】
なお、本発明のマルチプロジェクションディスプレイは、特に背面投写型のマルチプロジェクションディスプレイに好適に用いることができる。背面投写型のマルチプロジェクションディスプレイにおいては、出荷前に各プロジェクタユニットの位置調整を行った後にはスクリーン上の重畳領域の位置が大きくずれることはないため、電気光学変調装置上で第１領域と第２領域との境界が固定されていても、出荷後にスクリーン上における第１領域と第２領域との境界位置の調整を光学的に行うことが可能であるからである。
【００１６】
（２）上記（１）に記載のマルチプロジェクションディスプレイにおいては、前記第１領域は、投写画像が前記重畳領域に重畳される重畳数に応じて複数の領域に分割され、前記複数の領域における平均光通過率は、前記重畳数に応じて設定されていることが好ましい。
【００１７】
このように構成することにより、重畳領域においてはその重畳数によらず非重畳領域と同じレベルにまで投写光を低下させることができるようになり、「黒浮き模様」の発生を効果的に抑制することができるようになる。すなわち、例えば重畳数が２の場合に対応する領域においては平均光通過率を第２領域における平均光通過率の１／２にし、また、例えば重畳数が４の場合に対応する領域においては平均光通過率を第２領域における平均光通過率の１／４にすることにすれば、重畳領域のどこにおいても非重畳領域と同じレベルにまで投写光を低下させることができるようになり、「黒浮き模様」の発生を効果的に抑制することができる。
【００１８】
（３）上記（２）に記載のマルチプロジェクションディスプレイにおいては、前記複数の領域における平均光通過率は、前記第２領域から離れるにしたがって徐々に小さくなるように設定されていることが好ましい。
【００１９】
このように構成することにより、「黒浮き模様」の発生を効果的に抑制することができるのに加えて、各プロジェクタユニットからの投写画像間における境目をスクリーン上で目立たなくすることができるようになる。
【００２０】
（４）上記（１）〜（３）のいずれかに記載のマルチプロジェクションディスプレイにおいては、前記第１領域における実効画素面積は、前記第２領域における実効画素面積よりも小さく設定されていることが好ましい。
【００２１】
このように構成することにより、電気光学変調装置の第１領域における実効画素面積を第２領域における実効画素面積よりも小さく設定することで、第１領域における平均光通過率を第２領域における平均光通過率よりも小さくすることができる。その結果、重畳領域においては「本当の黒よりも若干明るい黒」を表示する投写光における投写光量が減じられることになるため、重畳領域における「黒浮き模様」の発生が抑制されるようになる。
【００２２】
上記（４）に記載のマルチプロジェクションディスプレイが電気光学変調装置として透過型液晶装置を有するマルチプロジェクションディスプレイである場合には、前記実効画素面積は画素開口部の面積であることが好ましい。画素開口部の面積はブラックマトリクスのパターンで調整することができる。
【００２３】
上記（４）に記載のマルチプロジェクションディスプレイが電気光学変調装置として反射型液晶装置を有するマルチプロジェクションディスプレイである場合には、前記実効画素面積は反射電極の面積であることが好ましい。反射電極の面積は、反射電極そのものの面積で調整することもできるし、ブラックマトリクスのパターンで調整することもできる。
【００２４】
上記（４）に記載のマルチプロジェクションディスプレイが電気光学変調装置としてマイクロミラー型光変調装置を有するマルチプロジェクションディスプレイである場合には、前記実効画素面積はマイクロミラーの面積であることが好ましい。マイクロミラーの面積は、マイクロミラーそのものの面積で調整することもできるし、マイクロミラー上に不透光性部材を部分的に形成することで調整することもできる。
【００２５】
（５）上記（１）〜（３）のいずれかに記載のマルチプロジェクションディスプレイにおいては、前記第１領域における各画素の光透過率又は光反射率は、前記第２領域における各画素の光透過率又は光反射率よりも小さく設定されていることが好ましい。
【００２６】
このように構成することにより、電気光学変調装置の第１領域における各画素の光透過率又は光反射率を第２領域における各画素の光透過率又は光反射率よりも小さく設定することで、第１領域における平均光通過率を第２領域における平均光通過率よりも小さく設定することができる。その結果、重畳領域においては「本当の黒よりも若干明るい黒」を表示する投写光における投写光量が減じられることになるため、重畳領域における「黒浮き模様」の発生が抑制されるようになる。
【００２７】
上記（５）に記載のマルチプロジェクションディスプレイが電気光学変調装置として透過型液晶装置を有するマルチプロジェクションディスプレイである場合には、第１領域における各画素の光透過率を第２領域における各画素の光透過率よりも小さく設定することで、第１領域における平均光通過率を第２領域における平均光通過率よりも小さく設定することができる。
【００２８】
上記（５）に記載のマルチプロジェクションディスプレイが電気光学変調装置として反射型液晶装置を有するマルチプロジェクションディスプレイである場合には、第１領域における反射電極の光反射率を第２領域における反射電極の光反射率よりも小さく設定することで、第１領域における平均光通過率を第２領域における平均光通過率よりも小さく設定することができる。
【００２９】
上記（５）に記載のマルチプロジェクションディスプレイが電気光学変調装置としてマイクロミラー型光変調装置を有するマルチプロジェクションディスプレイである場合には、第１領域におけるマイクロミラーの光反射率を第２領域におけるマイクロミラーの光反射率よりも小さく設定することで、第１領域における平均光通過率を第２領域における平均光通過率よりも小さく設定することができる。
【００３０】
（６）上記（５）に記載のマルチプロジェクションディスプレイにおいては、前記第１領域における各画素を通る光の光路上には半透光性部材が存在することが好ましい。
【００３１】
このように構成することにより、前記第１領域における各画素を通る光の光路上には半透光性部材が存在するようになるため、第１領域における各画素の光透過率又は光反射率を小さくすることができる。このため、電気光学変調装置として、半透光性部材以外は同じ構造を有する電気光学変調装置を用いることができるため、製造コストの上昇を極力抑制することができる。
【００３２】
なお、上記（６）に記載のマルチプロジェクションディスプレイに用いる電気光学変調装置は、例えば、半透光性の光硬化性樹脂又はインクをインクジェット技術などを用いて対象となる画素に対して吹き付け、その後、光を照射したり乾燥させたりして、光硬化性樹脂やインクを硬化して半透光性部材とすることにより製造することができる。
【００３３】
（７）上記（１）〜（３）のいずれかに記載のマルチプロジェクションディスプレイにおいては、前記第１領域における画素密度は、前記第２領域における画素密度よりも小さく設定されていることが好ましい。
【００３４】
このように構成することにより、電気光学変調装置の第１領域における画素密度を第２領域における画素密度よりも小さくすることで、第１領域における平均光通過率を第２領域における平均光通過率よりも小さく設定することができる。その結果、重畳領域においては「本当の黒よりも若干明るい黒」を表示する投写光における投写光量が減じられることになるため、重畳領域における「黒浮き模様」の発生が抑制されるようになる。
【００３５】
（８）上記（７）に記載のマルチプロジェクションディスプレイにおいては、前記電気光学変調装置は、第１領域における画素が第２領域よりも画素密度の低い状態で形成されていることが好ましい。
【００３６】
このように構成することにより、第１領域における平均光通過率を第２領域における平均光通過率よりも小さく設定することができる。
【００３７】
（９）上記（７）に記載のマルチプロジェクションディスプレイにおいては、前記電気光学変調装置は、前記第１領域における本来の画素（以下、「本来画素」という。）のうち一部の本来画素からの光を利用できなくすることにより前記第１領域の画素密度が小さく設定されていることが好ましい。
【００３８】
このように構成することにより、第１領域における本来画素のうち一部の本来画素からの光を利用できなくすることにより第１領域の画素密度を小さく設定することができるようになるため、各プロジェクタユニットに用いる電気光学変調装置としては、それぞれ別個の電気光学変調装置を用いる必要がなくなる、すなわち、一般的な電気光学変調装置をそのまま共通して用いることができるようになる。
【００３９】
ここで、第１領域における本来の画素とは、第１領域においても第２領域の場合と同様に通常縦横マトリクス状に配列された電気光学変調装置上の画素のことであって、これらの本来画素のうち一部の本来画素からの光を利用できなくすることにより、第１領域の画素密度を小さく設定することができるようになる。
【００４０】
（１０）上記（９）に記載のマルチプロジェクションディスプレイにおいては、前記第１領域における本来画素のうち一部の本来画素を通る光の光路上には不透光性部材又は光偏向部材が存在することが好ましい。
【００４１】
このように構成することにより、第１領域における本来画素のうち一部の本来画素を通る光の光路上には不透光性部材又は光偏向部材が存在するため、第１領域における画素密度を低下させることができる。このため、各プロジェクタユニットにおける電気光学変調装置として、不透光性部材又は光偏向部材以外は同じ構造を有する電気光学変調装置を用いることができるため、製造コストの上昇を極力抑制することができる。
【００４２】
なお、上記（１０）に記載のマルチプロジェクションディスプレイに用いる電気光学変調装置は、不透光性の光硬化性樹脂又はインクをインクジェット技術などを用いて対象となる画素に対して吹き付け、その後、光を照射したり乾燥させたりして、光硬化性樹脂やインクを硬化して不透光性部材とすることにより製造することができる。
また、上記（１０）に記載のマルチプロジェクションディスプレイに用いる電気光学変調装置は、マイクロミラーの反射面を通常の反射面とは異なった角度で配置したり、マイクロミラーの反射面上にこれらの反射面とは異なった角度の別の反射面を形成することにより製造することができる。
【００４３】
（１１）上記（９）に記載のマルチプロジェクションディスプレイにおいては、前記電気光学変調装置は液晶装置であって、前記第１領域における本来画素のうち一部の本来画素は、しきい値電圧から十分離れた電圧が印加されることにより常に光非透過状態とされていることが好ましい。
【００４４】
このように構成することにより、液晶装置における第１領域に対応して画素密度を低下させることができるため、出荷後に液晶装置における第１領域と第２領域とが形成される位置を変更する必要が生じた場合にも、しきい値電圧から十分離れた電圧が印加される画素を適宜選択し直すことにより容易に対応することができる。従って、上記（１１）に記載のマルチプロジェクションディスプレイは、背面投写型のマルチプロジェクションディスプレイのみならず前面投写型マルチプロジェクションディスプレイにおいても好適に用いることができる。
【００４５】
（１２）上記（１１）に記載のマルチプロジェクションディスプレイにおいては、撮像装置による投写面の撮影結果に基づいて、前記第１領域における前記一部の本来画素を決定する機能を有することが好ましい。
【００４６】
このように構成することにより、出荷前又は出荷後の調整時には撮像装置により投写面を撮影し、この撮影結果に基づいて第１領域において常に光非透過状態とされる一部の画素を決定することができるようになる。
【００４７】
（１３）本発明のプロジェクタユニットは、上記（１）〜（１２）のいずれかに記載のマルチプロジェクションディスプレイに用いるためのプロジェクタユニットであって、
前記第１領域における平均光通過率が前記第２領域における平均光通過率よりも小さく設定された電気光学変調装置を有することを特徴とする。
【００４８】
このため、本発明のプロジェクタユニットをマルチプロジェクションディスプレイのプロジェクタユニットに用いることによって、重畳領域に投写される光を正確に遮光するための複雑な機構を有する遮光板やそのような遮光板を正確に位置決めするための複雑な機構を必要とすることがなくなり、本発明の目的が達成される。
【００４９】
（１４）本発明の電気光学変調装置は、上記（１）〜（１２）のいずれかに記載のマルチプロジェクションディスプレイに用いるための電気光学変調装置であって、前記第１領域における平均光通過率は、前記第２領域における平均光通過率よりも小さく設定されていることを特徴とする。
【００５０】
このため、本発明の電気光学変調装置をマルチプロジェクションディスプレイの電気光学変調装置に用いることによって、重畳領域に投写される光を正確に遮光するための複雑な機構を有する遮光板やそのような遮光板を正確に位置決めするための複雑な機構を必要とすることがなくなり、本発明の目的が達成される。
【発明を実施するための最良の形態】
【００５１】
（実施形態１）
図１は、実施形態１に係るマルチプロジェクションディスプレイの構成を示す図である。図１（ａ）は側方から見た断面図であり、図１（ｂ）は正面図である。
【００５２】
実施形態１に係るマルチプロジェクションディスプレイ１００は、図１に示すように、筐体１０２内に配置された４つのプロジェクタユニット１３０，１３０，１３０，１３０を有し、これら４つのプロジェクタユニット１３０，１３０，１３０，１３０により単位投写画像ＩＡ，ＩＢ，ＩＣ，ＩＤをスクリーンＳＣＲにタイリング投写する背面投写型のマルチプロジェクションディスプレイである。
【００５３】
筐体１０２の内部には撮像素子１４２が設けられている。撮像素子１４２はスクリーンＳＣＲ上の破線で示す範囲を撮影範囲Ｓとしている。撮影範囲Ｓは任意に設定可能である。各プロジェクタユニット１３０には光学補正手段１５４が設けられ、各プロジェクタユニット１３０の筐体内における位置及び姿勢についての光学的な補正を可能としている。
【００５４】
図２は、実施形態１に係るマルチプロジェクションディスプレイに用いるプロジェクタユニットの光学系を示す図である。各プロジェクタユニット１３０は、図２に示すように、光源１０、インテグレータレンズ１２，１２、偏光変換素子１４、重畳レンズ１６、赤色光（Ｒ）を通過させて緑色光（Ｇ）及び青色光（Ｂ）を反射するダイクロイックミラー１８、青色光（Ｒ）を通過させて緑色光（Ｇ）を反射するダイクロイックミラー２０、電気光学変換装置としての各色光（赤色光、緑色光及び青色光）用の液晶装置３２Ｒ，３２Ｇ，３２Ｂ、赤色光を液晶装置３２Ｒに入射させるための反射ミラー２２、青色光を液晶装置３２Ｂに入射させるための２つの反射ミラー２４，２６、ダイクロイックミラー２０と反射ミラー２４との間に配置されるレンズ２８、反射ミラー２４及び反射ミラー２６の間に配置されるレンズ３０、各液晶装置３２Ｒ，３２Ｇ，３２Ｂのそれぞれの入射側及び射出側に設けられた偏光板３４，３４、色合成光学系としてのクロスダイクロイックプリズム３６並びに投写光学系としての投写レンズ３８を有している。
【００５５】
図３は、実施形態１に係るマルチプロジェクションディスプレイを説明するために示すブロック図である。実施形態１に係るマルチプロジェクションディスプレイ１００は、図３に示すように、ＴＶアンテナやＤＶＤプレーヤーなどからの画像信号を受信する画像信号受信部１６０、調整用画像情報を記憶する調整用画像情報記憶部１６２、投写画像を投写する複数のプロジェクタユニット１３０，１３０，１３０，１３０、これらのプロジェクタユニット等の駆動をはじめ各種制御を行う制御部１１０、単位画像の補正を行う際に利用する補正パラメータを記憶する補正パラメータ記憶部１５２及び投写面の撮影を行う撮像装置１４０を有している。
【００５６】
制御部１１０は、画像信号受信部１６０からの原画像情報や調整用画像情報記憶部１６２からの調整用画像情報を受け、各プロジェクタユニット１３０が投写する単位画像に係る単位画像情報を生成する単位画像情報生成部１２０、撮像装置１４０の撮影結果に基づいて単位画像情報を補正する単位画像情報補正部１５０及び撮像装置１４０のＡＤ変換素子１４４からのデジタル信号についての画像処理を行う画像処理部１４６を有している。
【００５７】
単位画像情報生成部１２０は、原画像情報に基づいて複数のプロジェクタユニット１３０，１３０，１３０，１３０のそれぞれに対応する単位画像情報を生成する機能及び原調整用画像情報に基づいて複数のプロジェクタユニット１３０，１３０，１３０，１３０のそれぞれに対応する調整用単位画像情報を生成する機能を有している。
【００５８】
撮像装置１４０は、スクリーンＳＣＲ上に投写された調整用画像の所定領域を撮影する撮像素子１４２と、撮像素子１４２からのアナログ信号をデジタル信号に変換するＡＤ変換素子１４４とを有している。
【００５９】
画像処理部１４６は、撮像装置１４０の撮影結果についての画像処理を行って、原調整用画像情報などとの比較を行って、その結果を単位画像情報補正部１５０に出力する機能を有している。
【００６０】
調整用画像情報記憶部１６２は、単位画像情報の補正を行う際に、撮像装置１４０で撮影対象となる調整用画像に関する情報を記憶する機能を有している。
【００６１】
単位画像情報補正部１５０は、撮像装置１４０の撮影結果に基づいて、複数のプロジェクタユニット１３０，１３０，１３０，１３０のうち隣接するプロジェクタユニットにより投写される単位画像間における境目（重畳領域を含む。）がスクリーンＳＣＲ上で目立たないように、単位画像情報の補正を行う機能を有している。
単位画像情報補正部１５０は、４つのプロジェクタユニット１３０，１３０，１３０，１３０により投写される４つの調整用単位画像情報によって形成される全体としての調整用画像と原調整用画像情報との比較を行って、各プロジェクタユニット１３０により投写される単位画像の形状、位置及び傾きについての補正を行う機能、各プロジェクタユニット１３０により投写される単位画像の輝度及び色調についての補正を行う機能並びに重畳領域における輝度を非重畳領域における輝度と均一化するための輝度調整機能などを有している。
【００６２】
これらの補正処理によって、各プロジェクタユニット１３０からの投写画像間において、その形状、位置及び傾きが適正でないことに起因する境目をスクリーンＳＣＲ上で目立たなくなるようにすることができ、また、各プロジェクタユニット１３０からの投写画像間において、その輝度や色が連続しないことに起因する境目をスクリーンＳＣＲ上で目立たなくなるようにすることができる。
【００６３】
補正パラメータ記憶部１５２は、単位画像情報補正部１５０で単位画像情報の補正を行う際に決定された補正パラメータを記憶する機能を有している。
【００６４】
図４〜図７は、実施形態１に係るマルチプロジェクションディスプレイにおける単位画像情報補正部の機能を説明するために示す図である。
【００６５】
まず、調整前の表示状態を説明する。画像信号受信部１６０からの原画像情報が単位画像情報生成部１２０に入力されると、単位画像情報生成部１２０が原画像情報に基づいて各プロジェクタユニット１３０に対応する単位画像情報を生成する。各プロジェクタユニット１３０は、この単位画像情報に応じた単位画像をスクリーンＳＣＲ上に投写する。このとき、マルチプロジェクションディスプレイ１００は調整前の段階であるため、図４（ｉ）に示すような歪んだ投写画像（ＩＡ０，ＩＢ０，ＩＣ０，ＩＤ０）が投写されることになる。
【００６６】
ここで、調整用画像情報記憶部１６２からの原調整用画像情報が単位画像情報生成部１２０に入力されると、単位画像情報生成部１２０が原調整用画像情報に基づいて調整用単位画像情報を生成する。各プロジェクタユニット１３０は、調整用単位画像情報に応じた単位画像をスクリーンＳＣＲ上に投写する。したがって、このとき、マルチプロジェクションディスプレイ１００は調整前の段階であるため、上記と同様に、図４（ｉ）に示すような歪んだ投写画像（ＩＡ０，ＩＢ０，ＩＣ０，ＩＤ０）が投写されることになる。
【００６７】
次に、撮像装置１４０の撮像素子１４２を用いて、図４（ｉ）に示した調整用画像に係る各投写画像（ＩＡ０，ＩＢ０，ＩＣ０，ＩＤ０）の所定領域を撮影する。その後、光学補正手段１５４（図１（ａ）参照。）が、その撮影結果に基づいて、各プロジェクタユニット１３０の位置及び姿勢についての光学的な補正を行う。
【００６８】
そして、調整用画像情報記憶部１６２からの原調整用画像情報を単位画像情報生成部１２０に再度入力すると、各プロジェクタユニット１３０は、この原調整用画像情報に基づいて生成された調整用単位画像情報に応じた単位画像をスクリーンＳＣＲ上に投写するが、このとき、マルチプロジェクションディスプレイ１００においては、先の撮影結果に基づいて各プロジェクタユニット１３０の位置及び姿勢についての補正が行われているため、スクリーンＳＣＲ上には、図４（ｉｉ）に示すように歪みの軽減された投写画像（ＩＡ１，ＩＢ１，ＩＣ１，ＩＤ１）が投写されることになる。
【００６９】
次に、撮像装置１４０の撮像素子１４２を用いて、図４（ｉｉ）に示した調整用画像に係る各投写画像（ＩＡ１，ＩＢ１，ＩＣ１，ＩＤ１）を撮影する。その後、単位画像情報補正部１５０が、その撮影結果に基づいて、単位画像情報の補正を行う際に用いる補正パラメータを決定する。そして、決定された補正パラメータは、補正パラメータ記憶部１５２に記憶され、爾後、この補正パラメータに基づいて原画像情報から複数の単位画像情報が生成されることになる。
【００７０】
これにより、画像信号受信部１６０からの原画像情報が単位画像情報生成部１２０に入力されると、単位画像情報生成部１２０が原画像情報に基づいて単位画像情報を生成することになるが、この際、単位画像情報は補正パラメータにより補正され、補正された単位画像情報を生成する。
【００７１】
したがって、各プロジェクタユニット１３０は、補正された単位画像情報に応じた単位画像をスクリーンＳＣＲ上に投写する。このとき、マルチプロジェクションディスプレイ１００はすでに調整されているため、図４（ｉｉｉ）に示すように、各プロジェクタユニット１３０からの投写画像（ＩＡ２，ＩＢ２，ＩＣ２，ＩＤ２）は精度よく位置合わせされることになる。
【００７２】
図５は、実施形態１に係るマルチプロジェクションディスプレイにおける単位画像情報補正部による輝度補正処理を示している。ここでは、説明を簡単にするために、隣接する２つのプロジェクタユニット（これをＰＪＡ，ＰＪＢとする。）によって生じる重なり部の輝度調整を行う場合について説明する。
【００７３】
まず、隣接するプロジェクタユニットＰＪＡ，ＰＪＢからの投写画像ＩＡ２，ＩＢ２（すでに形状補正の行われたあとの投写画像）が、重なり部を有した状態で投写されるとする。この場合、図５（ａ）に示すプロジェクタユニットＰＪＡからの投写画像ＩＡ２と、図５（ｂ）に示すプロジェクタユニットＰＪＢからの投写画像ＩＢ２とは、この図５（ａ）及び図５（ｂ）において、それぞれの投写画像ＩＡ２，ＩＢ２上における破線ａ１と実線ｂ１、破線ａ２と破線ｂ２、実線ａ３と破線ｂ３とがそれぞれ一致するように重なり合うものとする。
【００７４】
このような投写画像同士の重なり部では、図５（ｃ）及び図５（ｄ）に示すように、各プロジェクタユニットＰＪＡ，ＰＪＢからの出力値の和が１となるような関数を用いた補正がなされればよいが、各プロジェクタユニットＰＪＡ，ＰＪＢからの出力はγ補正が施されているので、それを考慮する必要がある。
【００７５】
例えば、ＲＧＢの各色の画素値が８ビットで表される場合、図６（ａ）に示すように、各色の画素値は０〜２５５の値をとる。各プロジェクタユニットＰＪＡ，ＰＪＢではγ補正が施されるため、画素値と出力値との関係はこの図６（ａ）に示すようになる。したがって、このγ補正を考慮すると、重なり部において、それぞれのプロジェクタユニットＰＪＡ，ＰＪＢからの出力値が１となるようにするには、実際には、図６（ｂ）及び図６（ｃ）のような関数を用いて画素値を補正する必要がある。
【００７６】
図７は、スクリーン上での輝度分布を表している。図７（ａ）及び図７（ｂ）は２つのプロジェクタユニットＰＪＡ，ＰＪＢからの投写画像であり、横線ｃの部分での輝度分布を図７（ｃ）及び図７（ｄ）に示す。図７（ｃ）及び図７（ｄ）に示すように、プロジェクタユニットＰＪＡ，ＰＪＢからスクリーンＳＣＲに投写された投写画像の輝度は、投写レンズや光源の影響で、中心の輝度が高く、中心から離れるにしたがって低くなっている。
【００７７】
図７（ｅ）の実線で示す曲線が、２つのプロジェクタユニットＰＪＡ，ＰＪＢからの投写画像を重なり部を持たせてタイリング投写させた場合の、スクリーンにおける横線ｃ上での輝度の設計値の例である。このように、重なり部において、実線で示される曲線となるように、２つのプロジェクタユニットＰＪＡ，ＰＪＢの出力値を補正する。
【００７８】
図８は、実施形態１に係るマルチプロジェクションディスプレイに用いる液晶装置を説明するために示す図である。図８（ａ）はスクリーン上における重畳領域及び非重畳領域を説明するために示す図であり、図８（ｂ）は液晶装置における第１領域及び第２領域を説明するために示す図である。
【００７９】
４つのプロジェクタユニット１３０，１３０，１３０，１３０により単位投写画像ＩＡ，ＩＢ，ＩＣ，ＩＤを、スクリーンＳＣＲに一部重畳した状態でタイリング投写する場合、スクリーンＳＣＲ上に投写される単位投写画像ＩＡ，ＩＢ，ＩＣ，ＩＤのそれぞれは、図８（ａ）に示すように、投写画像が重畳した状態で投写される重畳領域Ｓ１（図１１の重畳領域ＳＡＢ，ＳＡＣ，ＳＡＢＣＤ，ＳＢＤ，ＳＣＤ参照。）と投写画像が投写面に重畳されない状態で投写される非重畳領域Ｓ２（図１１の非重畳領域ＳＡ，ＳＢ，ＳＣ，ＳＤ参照。）とに投写される。これに対応して、実施形態１に係るマルチプロジェクションディスプレイ１００は、電気光学変調装置として、図８（ｂ）に示すように、単位投写画像ＩＡを投写するための３枚の液晶装置３２ＲＡ，３２ＧＡ，３２ＢＡ、単位投写画像ＩＢを投写するための３枚の液晶装置３２ＲＢ，３２ＧＢ，３２ＢＢ、単位投写画像ＩＣを投写するための３枚の液晶装置３２ＲＣ，３２ＧＣ，３２ＢＣ及び単位投写画像ＩＤを投写するための３枚の液晶装置３２ＲＤ，３２ＧＤ，３２ＢＤを有している。各液晶装置は、重畳領域Ｓ１に投写される投写画像を生成する第１領域Ｒ１と非重畳領域Ｓ２に投写される投写画像を生成する第２領域Ｒ２とを有している。
【００８０】
図９及び図１０は、実施形態１に係るマルチプロジェクションディスプレイに用いる液晶装置を説明するために示す図である。図１０（ａ）は液晶装置における第１領域及び第２領域を示す図であり、図１０（ｂ）は光が液晶装置における第１領域及び第２領域を通過する様子を示す図である。図１１は、実施形態１に係るマルチプロジェクションディスプレイの効果を説明するために示す図である。
【００８１】
実施形態１に係るマルチプロジェクションディスプレイ１００に用いる液晶装置３２ＲＡ，３２ＲＢ，３２ＲＣ，３２ＲＤ，３２ＧＡ，３２ＧＢ，３２ＧＣ，３２ＧＤ，３２ＢＡ，３２ＢＢ，３２ＢＣ，３２ＢＤにおいては、図９に示すように、第１領域Ｒ１における実効画素面積は、第２領域Ｒ２における実効画素面積よりも小さく設定されている。
【００８２】
このため、実施形態１に係るマルチプロジェクションディスプレイ１００によれば、第１領域Ｒ１における実効画素面積は、第２領域Ｒ２における実効画素面積よりも小さく設定されているため、図１０に示すように、第１領域Ｒ１における平均光通過率が第２領域Ｒ２における平均光通過率よりも小さくなる。その結果、重畳領域ＳＡＢ，ＳＡＣ，ＳＡＢＣＤ，ＳＢＤ，ＳＣＤ（図１１参照。）においては「本当の黒よりも若干明るい黒」を表示する投写光における投写光量が減じられることになるため、図１１に示すように、重畳領域ＳＡＢ，ＳＡＣ，ＳＡＢＣＤ，ＳＢＤ，ＳＣＤにおける「黒浮き模様」の発生が抑制されるようになる（比較例として図２７参照。）。
【００８３】
また、実施形態１に係るマルチプロジェクションディスプレイ１００によれば、液晶装置の第１領域Ｒ１における実効画素面積を第２領域Ｒ２における実効画素面積よりも小さく設定することで「黒浮き模様」の発生を抑制することとしたため、重畳領域ＳＡＢ，ＳＡＣ，ＳＡＢＣＤ，ＳＢＤ，ＳＣＤに投写される光を正確に遮光するための複雑な機構を有する遮光板やそのような遮光板を正確に位置決めするための複雑な機構を必要とすることがなくなる。
【００８４】
実施形態１に係るマルチプロジェクションディスプレイ１００は、特に背面投写型のマルチプロジェクションディスプレイに好適に用いることができる。背面投写型のマルチプロジェクションディスプレイにおいては、出荷前に各プロジェクタユニットの位置調整を行った後にはスクリーン上の重畳領域の位置が大きくずれることはないため、液晶装置上で第１領域Ｒ１と第２領域Ｒ２との境界が固定されていても、出荷後にスクリーン上における第１領域Ｒ１と第２領域Ｒ２との境界位置の調整を光学的に行うことが可能であるからである。
【００８５】
実施形態１に係るマルチプロジェクションディスプレイ１００においては、図１０に示すように、第１領域Ｒ１は、投写画像が重畳領域Ｓ１に重畳される重畳数に応じて複数の領域Ｒ１（２），Ｒ１（４）に分割され、これら複数の領域Ｒ１（２），Ｒ１（４）における平均光通過率は重畳数（２又は４）に応じて設定されている。この場合、図１０（ｂ）に示すように、重畳数が２の場合に対応する領域Ｒ１（２）においては平均光通過率を第２領域Ｒ２における平均光通過率の１／２にし、また、重畳数が４の場合に対応する領域Ｒ１（４）においては平均光通過率を第２領域Ｒ２における平均光通過率の１／４にすることとしている。
【００８６】
これにより、重畳領域Ｓ１（ＳＡＢ，ＳＡＣ，ＳＡＢＣＤ，ＳＢＤ，ＳＣＤ）においてはその重畳数（２又は４）によらず非重畳領域Ｓ２（ＳＡ，ＳＢ，ＳＣ，ＳＤ）と同じレベルにまで投写光を低下させることができるようになり、図１１に示すように、「黒浮き模様」の発生を効果的に抑制することができるようになる。このため、重畳領域Ｓ１のどこにおいても非重畳領域Ｓ２と同じレベルにまで投写光を低下させることができるようになり、「黒浮き模様」の発生を効果的に抑制することができる。
【００８７】
実施形態１に係るマルチプロジェクションディスプレイ１００においては、実効画素面積は画素開口部の面積である。画素開口部の面積はブラックマトリクスのパターンで調整することができる。
【００８８】
（実施形態２）
図１２は、実施形態２に係るマルチプロジェクションディスプレイに用いる液晶装置を説明するために示す図である。
実施形態２に係るマルチプロジェクションディスプレイ１００ａ（図示せず。）は、電気光学変調装置として用いる液晶装置の構造が実施形態１に係るマルチプロジェクションディスプレイ１００の場合とは異なっている。
【００８９】
すなわち、実施形態２に係るマルチプロジェクションディスプレイ１００ａ（図示せず。）に用いる液晶装置４０ＲＡ，４０ＲＢ，４０ＲＣ，４０ＲＤ（４０ＧＡ，４０ＧＢ，４０ＧＣ，４０ＧＤ，４０ＢＡ，４０ＢＢ，４０ＢＣ，４０ＢＤ）においては、図１２に示すように、第１領域Ｒ１における複数の領域（図１０（ａ）の領域Ｒ１（２），Ｒ１（４）参照。）における実効画素面積が第２領域Ｒ２から離れるにしたがって徐々に小さくなるように設定されている。
【００９０】
このように、実施形態２に係るマルチプロジェクションディスプレイ１００ａにおいては、電気光学変調装置として用いる液晶装置の構造が実施形態１に係るマルチプロジェクションディスプレイ１００の場合とは異なっているが、実施形態１に係るマルチプロジェクションディスプレイ１００の場合と同様に、第１領域Ｒ１における実効画素面積が第２領域Ｒ２における実効画素面積よりも小さく設定されている。このため、第１領域Ｒ１における平均光通過率が第２領域Ｒ２における平均光通過率よりも小さくなり、その結果、実施形態１に係るマルチプロジェクションディスプレイ１００の場合と同様の効果を有する。
【００９１】
すなわち、重畳領域に投写される光を正確に遮光するための複雑な機構を有する遮光板やそのような遮光板を正確に位置決めするための複雑な機構を必要とすることなく「黒浮き模様」の発生を抑制することができる。
【００９２】
また、実施形態２に係るマルチプロジェクションディスプレイ１００ａによれば、第１領域Ｒ１における複数の領域における実効画素面積が第２領域Ｒ２から離れるにしたがって徐々に小さくなるように設定されているため、「黒浮き模様」の発生を効果的に抑制することができるのに加えて、各プロジェクタユニットからの投写画像間における境目をスクリーン上で目立たなくすることができるようになる。
【００９３】
（実施形態３）
図１３は、実施形態３に係るマルチプロジェクションディスプレイに用いる液晶装置を説明するために示す図である。
実施形態３に係るマルチプロジェクションディスプレイ１００ｂ（図示せず。）は、電気光学変調装置として用いる液晶装置の構造が実施形態１に係るマルチプロジェクションディスプレイ１００の場合とは異なっている。
【００９４】
すなわち、実施形態３に係るマルチプロジェクションディスプレイ１００ｂ（図示せず。）に用いる液晶装置４２ＲＡ，４２ＲＢ，４２ＲＣ，４２ＲＤ（４２ＧＡ，４２ＧＢ，４２ＧＣ，４２ＧＤ，４２ＢＡ，４２ＢＢ，４２ＢＣ，４２ＢＤ）においては、図１３に示すように、第１領域Ｒ１における各画素開口部の面積と第２領域Ｒ２における各画素開口部の面積とが同じに設定されているとともに、第１領域Ｒ１における各画素の光透過率が第２領域Ｒ２における各画素の光透過率よりも小さく設定されている。
【００９５】
このように、実施形態３に係るマルチプロジェクションディスプレイ１００ｂは、電気光学変調装置として用いる液晶装置の構造が実施形態１に係るマルチプロジェクションディスプレイ１００の場合とは異なっているが、第１領域Ｒ１における各画素の光透過率が第２領域Ｒ２における各画素の光透過率よりも小さく設定されている。このため、第１領域Ｒ１における平均光通過率が第２領域Ｒ２における平均光通過率よりも小さくなり、その結果、実施形態１に係るマルチプロジェクションディスプレイ１００の場合と同様の効果を有する。
【００９６】
すなわち、重畳領域に投写される光を正確に遮光するための複雑な機構を有する遮光板やそのような遮光板を正確に位置決めするための複雑な機構を必要とすることなく「黒浮き模様」の発生を抑制することができる。
【００９７】
なお、実施形態３に係るマルチプロジェクションディスプレイ１００ｂにおいては、第１領域Ｒ１における各画素は、半透光性部材で覆われている。これにより、液晶装置の第１領域Ｒ１における各画素を半透光性部材で覆うことで第１領域Ｒ１における各画素の光透過率を小さくすることができる。このため、液晶装置として、半透光性部材以外は同じ構造を有する液晶装置を用いることができるため、製造コストの上昇を極力抑制することができる。
【００９８】
（実施形態４）
図１４は、実施形態４に係るマルチプロジェクションディスプレイに用いる液晶装置を説明するために示す図である。
実施形態４に係るマルチプロジェクションディスプレイ１００ｃ（図示せず。）は、電気光学変調装置として用いる液晶装置の構造が実施形態３に係るマルチプロジェクションディスプレイ１００ｂの場合とは異なっている。
【００９９】
すなわち、実施形態４に係るマルチプロジェクションディスプレイ１００ｃ（図示せず。）に用いる液晶装置４４ＲＡ，４４ＲＢ，４４ＲＣ，４４ＲＤ（４４ＧＡ，４４ＧＢ，４４ＧＣ，４４ＧＤ，４４ＢＡ，４４ＢＢ，４４ＢＣ，４４ＢＤ）においては、図１４に示すように、第１領域Ｒ１における複数の領域（図１０（ａ）の領域Ｒ１（２），Ｒ１（４）参照。）における各画素の光透過率が第２領域Ｒ２から離れるにしたがって徐々に小さくなるように設定されている。
【０１００】
このように、実施形態４に係るマルチプロジェクションディスプレイ１００ｃにおいては、電気光学変調装置として用いる液晶装置の構造が実施形態３に係るマルチプロジェクションディスプレイ１００ｂの場合とは異なっているが、実施形態３に係るマルチプロジェクションディスプレイ１００ｂの場合と同様に、第１領域Ｒ１における各画素の光透過率が第２領域Ｒ２における各画素の光透過率よりも小さく設定されている。このため、第１領域Ｒ１における平均光通過率が第２領域Ｒ２における平均光通過率よりも小さくなり、その結果、実施形態３に係るマルチプロジェクションディスプレイ１００ｂの場合と同様の効果を有する。
【０１０１】
すなわち、重畳領域に投写される光を正確に遮光するための複雑な機構を有する遮光板やそのような遮光板を正確に位置決めするための複雑な機構を必要とすることなく「黒浮き模様」の発生を抑制することができる。
【０１０２】
また、実施形態４に係るマルチプロジェクションディスプレイ１００ｃによれば、第１領域Ｒ１における複数の領域における各画素の光透過率が第２領域Ｒ２から離れるにしたがって徐々に小さくなるように設定されているため、「黒浮き模様」の発生を効果的に抑制することができるのに加えて、各プロジェクタユニットからの投写画像間における境目をスクリーン上で目立たなくすることができるようになる。
【０１０３】
（実施形態５）
図１５は、実施形態５に係るマルチプロジェクションディスプレイに用いる液晶装置を説明するために示す図である。
実施形態５に係るマルチプロジェクションディスプレイ１００ｄ（図示せず。）は、電気光学変調装置として用いる液晶装置の構造が実施形態１に係るマルチプロジェクションディスプレイ１００の場合とは異なっている。
【０１０４】
すなわち、実施形態５に係るマルチプロジェクションディスプレイ１００ｄ（図示せず。）に用いる液晶装置４６ＲＡ，４６ＲＢ，４６ＲＣ，４６ＲＤ（４６ＧＡ，４６ＧＢ，４６ＧＣ，４６ＧＤ，４６ＢＡ，４６ＢＢ，４６ＢＣ，４６ＢＤ）においては、図１５に示すように、第１領域Ｒ１における各画素開口部の面積と第２領域Ｒ２における各画素開口部の面積とについては同じに設定され、第１領域Ｒ１における各画素の光透過率と第２領域Ｒ２における各画素の光透過率とについても同じに設定されている一方、第１領域Ｒ１における画素の密度が第２領域Ｒ２における画素の密度よりも小さく設定されている。
【０１０５】
このように、実施形態５に係るマルチプロジェクションディスプレイ１００ｄにおいては、電気光学変調装置として用いる液晶装置の構造が実施形態１に係るマルチプロジェクションディスプレイ１００の場合とは異なっているが、第１領域Ｒ１における画素の密度が第２領域Ｒ２における画素の密度よりも小さく設定されている。このため、第１領域Ｒ１における平均光通過率が第２領域Ｒ２における平均光通過率よりも小さくなり、その結果、実施形態１に係るマルチプロジェクションディスプレイ１００の場合と同様の効果を有する。
【０１０６】
すなわち、重畳領域に投写される光を正確に遮光するための複雑な機構を有する遮光板やそのような遮光板を正確に位置決めするための複雑な機構を必要とすることなく「黒浮き模様」の発生を抑制することができる。
【０１０７】
（実施形態６）
図１６は、実施形態６に係るマルチプロジェクションディスプレイに用いる液晶装置を説明するために示す図である。
実施形態６に係るマルチプロジェクションディスプレイ１００ｅ（図示せず。）は、電気光学変調装置として用いる液晶装置の構造が実施形態５に係るマルチプロジェクションディスプレイ１００ｄの場合とは異なっている。
【０１０８】
すなわち、実施形態６に係るマルチプロジェクションディスプレイ１００ｅ（図示せず。）に用いる液晶装置４８ＲＡ，４８ＲＢ，４８ＲＣ，４８ＲＤ（４８ＧＡ，４８ＧＢ，４８ＧＣ，４８ＧＤ，４８ＢＡ，４８ＢＢ，４８ＢＣ，４８ＢＤ）においては、図１６に示すように、第１領域Ｒ１における複数の領域（図１０（ａ）の領域Ｒ１（２），Ｒ１（４）参照。）における画素の密度が第２領域Ｒ２から離れるにしたがって徐々に小さくなるように設定されている。
【０１０９】
このように、実施形態６に係るマルチプロジェクションディスプレイ１００ｅにおいては、電気光学変調装置として用いる液晶装置の構造が実施形態５に係るマルチプロジェクションディスプレイ１００ｄの場合とは異なっているが、実施形態５に係るマルチプロジェクションディスプレイ１００ｄの場合と同様に、第１領域Ｒ１における画素の密度が第２領域Ｒ２における画素の密度よりも小さく設定されている。このため、第１領域Ｒ１における平均光通過率が第２領域Ｒ２における平均光通過率よりも小さくなり、その結果、実施形態５に係るマルチプロジェクションディスプレイ１００ｄの場合と同様の効果を有する。
【０１１０】
すなわち、重畳領域に投写される光を正確に遮光するための複雑な機構を有する遮光板やそのような遮光板を正確に位置決めするための複雑な機構を必要とすることなく「黒浮き模様」の発生を抑制することができる。
【０１１１】
また、実施形態６に係るマルチプロジェクションディスプレイ１００ｅによれば、第１領域Ｒ１における複数の領域における画素の密度が第２領域Ｒ２から離れるにしたがって徐々に小さくなるように設定されているため、「黒浮き模様」の発生を効果的に抑制することができるのに加えて、各プロジェクタユニットからの投写画像間における境目をスクリーン上で目立たなくすることができるようになる。
【０１１２】
なお、実施形態５又は６に係るマルチプロジェクションディスプレイ１００ｄ，１００ｅにおいては、ブラックマトリクスのパターンを適宜変更することによって、画素の密度を調整することができる。
【０１１３】
（実施形態７）
図１７は、実施形態７に係るマルチプロジェクションディスプレイに用いる液晶装置を説明するために示す図である。
実施形態７に係るマルチプロジェクションディスプレイ１００ｆ（図示せず。）は、電気光学変調装置として用いる液晶装置の構造が実施形態５に係るマルチプロジェクションディスプレイ１００ｄの場合とは異なっている。
【０１１４】
すなわち、実施形態７に係るマルチプロジェクションディスプレイ１００ｆ（図示せず。）に用いる液晶装置５０ＲＡ，５０ＲＢ，５０ＲＣ，５０ＲＤ（５０ＧＡ，５０ＧＢ，５０ＧＣ，５０ＧＤ，５０ＢＡ，５０ＢＢ，５０ＢＣ，５０ＢＤ）においては、第１領域Ｒ１における複数の本来画素のうち一部の本来画素を不透光性部材で覆うことによって、第１領域の画素密度を小さく設定している。
【０１１５】
このように、実施形態７に係るマルチプロジェクションディスプレイ１００ｆにおいては、電気光学変調装置として用いる液晶装置の構造が実施形態５に係るマルチプロジェクションディスプレイ１００ｄの場合とは異なっているが、第１領域Ｒ１における画素（有効画素）の密度が第２領域Ｒ２における画素の密度よりも小さく設定されている。このため、第１領域Ｒ１における平均光通過率が第２領域Ｒ２における平均光通過率よりも小さくなり、その結果、実施形態５に係るマルチプロジェクションディスプレイ１００ｄの場合と同様の効果を有する。
【０１１６】
すなわち、重畳領域に投写される光を正確に遮光するための複雑な機構を有する遮光板やそのような遮光板を正確に位置決めするための複雑な機構を必要とすることなく「黒浮き模様」の発生を抑制することができる。
【０１１７】
また、実施形態７に係るマルチプロジェクションディスプレイ１００ｆによれば、液晶装置の第１領域Ｒ１における本来画素のうち一部の本来画素を不透光性部材で覆うことで第１領域Ｒ１における画素の密度を低下させることができる。このため、各プロジェクタユニットにおける液晶装置として、それぞれ別個の液晶装置を用いる必要がなくなる、すなわち、一般的な液晶装置をそのまま共通して用いることができるようになり、製造コストの上昇を極力抑制することができる。
【０１１８】
なお、実施形態７に係るマルチプロジェクションディスプレイ１００ｆに用いる液晶装置は、不透光性の光硬化性樹脂又はインクをインクジェット技術などを用いて対象となる画素に対して吹き付け、その後、光を照射したり乾燥させたりして、光硬化性樹脂やインクを硬化して不透光性部材とすることにより製造することができる。
【０１１９】
（実施形態８）
図１８は、実施形態８に係るマルチプロジェクションディスプレイに用いる液晶装置を説明するために示す図である。
実施形態８に係るマルチプロジェクションディスプレイ１００ｇ（図示せず。）は、電気光学変調装置として用いる液晶装置の構造が実施形態７に係るマルチプロジェクションディスプレイ１００ｆの場合とは異なっている。
【０１２０】
すなわち、実施形態８に係るマルチプロジェクションディスプレイ１００ｇ（図示せず。）に用いる液晶装置５２ＲＡ，５２ＲＢ，５２ＲＣ，５２ＲＤ（５２ＧＡ，５２ＧＢ，５２ＧＣ，５２ＧＤ，５２ＢＡ，５２ＢＢ，５２ＢＣ，５２ＢＤ）においては、図１８に示すように、第１領域Ｒ１における複数の領域（図１０（ａ）の領域Ｒ１（２），Ｒ１（４）参照。）における画素の密度が第２領域Ｒ２から離れるにしたがって徐々に小さくなるように設定されている。
【０１２１】
このように、実施形態８に係るマルチプロジェクションディスプレイ１００ｇにおいては、電気光学変調装置として用いる液晶装置の構造が実施形態７に係るマルチプロジェクションディスプレイ１００ｆの場合とは異なっているが、実施形態７に係るマルチプロジェクションディスプレイ１００ｆの場合と同様に、第１領域Ｒ１における画素の密度が第２領域Ｒ２における画素の密度よりも小さく設定されている。このため、第１領域Ｒ１における平均光通過率が第２領域Ｒ２における平均光通過率よりも小さくなり、その結果、実施形態７に係るマルチプロジェクションディスプレイ１００ｆの場合と同様の効果を有する。
【０１２２】
すなわち、重畳領域に投写される光を正確に遮光するための複雑な機構を有する遮光板やそのような遮光板を正確に位置決めするための複雑な機構を必要とすることなく「黒浮き模様」の発生を抑制することができる。
【０１２３】
また、実施形態８に係るマルチプロジェクションディスプレイ１００ｇによれば、第１領域Ｒ１における複数の領域における画素の密度が第２領域Ｒ２から離れるにしたがって徐々に小さくなるように設定されているため、「黒浮き模様」の発生を効果的に抑制することができるのに加えて、各プロジェクタユニットからの投写画像間における境目をスクリーン上で目立たなくすることができるようになる。
【０１２４】
（実施形態９）
図１９は、実施形態９に係るマルチプロジェクションディスプレイに用いる液晶装置を説明するために示す図である。
実施形態９に係るマルチプロジェクションディスプレイ１００ｈ（図示せず。）は、電気光学変調装置として用いる液晶装置の構造が実施形態７に係るマルチプロジェクションディスプレイ１００ｆの場合とは異なっている。
【０１２５】
すなわち、実施形態９に係るマルチプロジェクションディスプレイ１００ｈ（図示せず。）に用いる液晶装置５４ＲＡ，５４ＲＢ，５４ＲＣ，５４ＲＤ（５４ＧＡ，５４ＧＢ，５４ＧＣ，５４ＧＤ，５４ＢＡ，５４ＢＢ，５４ＢＣ，５４ＢＤ）においては、第１領域Ｒ１における複数の画素のうち一部の画素は、しきい値電圧から十分離れた電圧が印加されることにより常に光非透過状態とされている。
【０１２６】
このように、実施形態９に係るマルチプロジェクションディスプレイ１００ｈにおいては、電気光学変調装置として用いる液晶装置の構造が実施形態７に係るマルチプロジェクションディスプレイ１００ｆの場合とは異なっているが、第１領域Ｒ１における画素の密度が第２領域Ｒ２における画素の密度よりも小さく設定されている。このため、第１領域Ｒ１における平均光通過率が第２領域Ｒ２における平均光通過率よりも小さくなり、その結果、実施形態７に係るマルチプロジェクションディスプレイ１００ｆの場合と同様の効果を有する。
【０１２７】
すなわち、重畳領域に投写される光を正確に遮光するための複雑な機構を有する遮光板やそのような遮光板を正確に位置決めするための複雑な機構を必要とすることなく「黒浮き模様」の発生を抑制することができる。
【０１２８】
また、実施形態９に係るマルチプロジェクションディスプレイ１００ｈにおいては、液晶装置における第１領域Ｒ１に対応して画素の密度を低下させることができるため、出荷後に液晶装置における第１領域Ｒ１と第２領域Ｒ２とが形成される位置を変更する必要が生じた場合にも、しきい値電圧から十分離れた電圧が印加される画素を適宜選択し直すことにより容易に対応することができる。従って、実施形態９に係るマルチプロジェクションディスプレイ１００ｈは、背面投写型のマルチプロジェクションディスプレイのみならず前面投写型のマルチプロジェクションディスプレイにおいても好適に用いることができる。
【０１２９】
なお、実施形態９に係るマルチプロジェクションディスプレイ１００ｈにおいては、撮像装置による投写面の撮影結果に基づいて、第１領域Ｒ１における一部の画素を決定する機能を有している。このため、出荷前又は出荷後の調整時には撮像装置により投写面を撮影し、この撮影結果に基づいて第１領域Ｒ１において常に光非透過状態とされる一部の画素を正確に決定することができる。
【０１３０】
（実施形態１０）
図２０は、実施形態１０に係るマルチプロジェクションディスプレイに用いる液晶装置を説明するために示す図である。
実施形態１０に係るマルチプロジェクションディスプレイ１００ｉ（図示せず。）は、電気光学変調装置として用いる液晶装置の構造が実施形態９に係るマルチプロジェクションディスプレイ１００ｈの場合とは異なっている。
【０１３１】
すなわち、実施形態１０に係るマルチプロジェクションディスプレイ１００ｉ（図示せず。）に用いる液晶装置５６ＲＡ，５６ＲＢ，５６ＲＣ，５６ＲＤ（５６ＧＡ，５６ＧＢ，５６ＧＣ，５６ＧＤ，５６ＢＡ，５６ＢＢ，５６ＢＣ，５６ＢＤ）においては、図２０に示すように、第１領域Ｒ１における複数の領域（図１０（ａ）の領域Ｒ１（２），Ｒ１（４）参照。）における画素の密度が第２領域Ｒ２から離れるにしたがって徐々に小さくなるように設定されている。
【０１３２】
このように、実施形態１０に係るマルチプロジェクションディスプレイ１００ｉにおいては、電気光学変調装置として用いる液晶装置の構造が実施形態９に係るマルチプロジェクションディスプレイ１００ｈの場合とは異なっているが、実施形態９に係るマルチプロジェクションディスプレイ１００ｈの場合と同様に、第１領域Ｒ１における画素の密度が第２領域Ｒ２における画素の密度よりも小さく設定されている。このため、第１領域Ｒ１における平均光通過率が第２領域Ｒ２における平均光通過率よりも小さくなり、その結果、実施形態９に係るマルチプロジェクションディスプレイ１００ｈの場合と同様の効果を有する。
【０１３３】
すなわち、重畳領域に投写される光を正確に遮光するための複雑な機構を有する遮光板やそのような遮光板を正確に位置決めするための複雑な機構を必要とすることなく「黒浮き模様」の発生を抑制することができる。
【０１３４】
また、実施形態１０に係るマルチプロジェクションディスプレイ１００ｉによれば、第１領域Ｒ１における複数の領域における画素の密度が第２領域Ｒ２から離れるにしたがって徐々に小さくなるように設定されているため、「黒浮き模様」の発生を効果的に抑制することができるのに加えて、各プロジェクタユニットからの投写画像間における境目をスクリーン上で目立たなくすることができるようになる。
【０１３５】
（実施形態１１）
図２１は、実施形態１１に係るマルチプロジェクションディスプレイに用いるプロジェクタユニットの光学系を示す図である。
実施形態１１に係るマルチプロジェクションディスプレイ１００ｊ（図示せず。）は、図２１に示すように、プロジェクタユニットの構造が実施形態１に係るマルチプロジェクションディスプレイ１００の場合とは異なっている。
【０１３６】
すなわち、実施形態１１に係るマルチプロジェクションディスプレイ１００ｊ（図示せず。）に用いるプロジェクタユニットにおいては、光源としてＬＥＤからなる固体光源７０Ｒ，７０Ｇ，７０Ｂを用いている。
【０１３７】
このように、実施形態１１に係るマルチプロジェクションディスプレイ１００ｊにおいては、プロジェクタユニットの構造が実施形態１に係るマルチプロジェクションディスプレイ１００の場合とは異なっているが、実施形態１に係るマルチプロジェクションディスプレイ１００の場合と同様に、電気光学変調装置として、第１領域Ｒ１における実効画素面積が第２領域Ｒ２における実効画素面積よりも小さく設定された液晶装置を有しているため、実施形態１に係るマルチプロジェクションディスプレイ１００の場合と同様の効果を有する。
【０１３８】
すなわち、重畳領域に投写される光を正確に遮光するための複雑な機構を有する遮光板やそのような遮光板を正確に位置決めするための複雑な機構を必要とすることなく「黒浮き模様」の発生を抑制することができる。
【０１３９】
（実施形態１２）
図２２は、実施形態１２に係るマルチプロジェクションディスプレイを説明するために示す図である。
実施形態１２に係るマルチプロジェクションディスプレイ１００ｋ（図示せず。）は、図２２に示すように、前面投写型のマルチプロジェクションディスプレイである点で実施形態１に係るマルチプロジェクションディスプレイ１００とは異なっている。
【０１４０】
このように、実施形態１２に係るマルチプロジェクションディスプレイ１００ｋは前面投写型のマルチプロジェクションディスプレイである点で実施形態１に係るマルチプロジェクションディスプレイ１００とは異なっているが、実施形態１に係るマルチプロジェクションディスプレイ１００の場合と同様に、電気光学変調装置として、第１領域Ｒ１における実効画素面積が第２領域Ｒ２における実効画素面積よりも小さく設定された液晶装置を有しているため、実施形態１に係るマルチプロジェクションディスプレイ１００の場合と同様の効果を有する。
【０１４１】
すなわち、重畳領域に投写される光を正確に遮光するための複雑な機構を有する遮光板やそのような遮光板を正確に位置決めするための複雑な機構を必要とすることなく「黒浮き模様」の発生を抑制することができる。
【０１４２】
（実施形態１３）
図２３は、実施形態１３に係るマルチプロジェクションディスプレイを説明するために示す図である。
実施形態１３に係るマルチプロジェクションディスプレイ１００ｌ（図示せず。）は、電気光学変調装置の種類が実施形態１に係るマルチプロジェクションディスプレイ１００の場合とは異なっている。すなわち、実施形態１３に係るマルチプロジェクションディスプレイ１００ｌに用いる電気光学変調装置は、反射型の液晶装置５８ＲＡ，５８ＲＢ，５８ＲＣ，５８ＲＤ（５８ＧＡ，５８ＧＢ，５８ＧＣ，５８ＧＤ，５８ＢＡ，５８ＢＢ，５８ＢＣ，５８ＢＤ）である。
【０１４３】
このように、実施形態１３に係るマルチプロジェクションディスプレイ１００ｌは、電気光学変調装置として反射型の液晶装置を用いる点で実施形態１に係るマルチプロジェクションディスプレイ１００の場合とは異なっているが、図２３に示すように、第１領域Ｒ１における反射電極の面積が第２領域Ｒ２における反射電極の面積よりも小さく設定されている。このため、第１領域Ｒ１における平均光通過率が第２領域Ｒ２における平均光通過率よりも小さくなり、その結果、実施形態１に係るマルチプロジェクションディスプレイ１００の場合と同様の効果を有する。
【０１４４】
すなわち、重畳領域に投写される光を正確に遮光するための複雑な機構を有する遮光板やそのような遮光板を正確に位置決めするための複雑な機構を必要とすることなく「黒浮き模様」の発生を抑制することができる。
【０１４５】
なお、反射電極の面積は、反射電極そのものの面積で調整することもできるし、ブラックマトリクスのパターンで調整することもできる。
【０１４６】
（実施形態１４）
図２４は、実施形態１４に係るマルチプロジェクションディスプレイを説明するために示す図である。
実施形態１４に係るマルチプロジェクションディスプレイ１００ｍ（図示せず。）は、電気光学変調装置の種類が実施形態１に係るマルチプロジェクションディスプレイ１００の場合とは異なっている。すなわち、実施形態１４に係るマルチプロジェクションディスプレイ１００ｍ（図示せず。）に用いる電気光学変調装置は、マイクロミラー型光変調装置６０ＲＡ，６０ＲＢ，６０ＲＣ，６０ＲＤ（６０ＧＡ，６０ＧＢ，６０ＧＣ，６０ＧＤ，６０ＢＡ，６０ＢＢ，６０ＢＣ，６０ＢＤ）である。
【０１４７】
このように、実施形態１４に係るマルチプロジェクションディスプレイ１００ｍは、電気光学変調装置としてマイクロミラー型光変調装置を用いる点で実施形態１に係るマルチプロジェクションディスプレイ１００の場合とは異なっているが、図２４に示すように、第１領域Ｒ１におけるマイクロミラーの面積が第２領域Ｒ２におけるマイクロミラーの面積よりも小さく設定されている。このため、第１領域Ｒ１における平均光通過率が第２領域Ｒ２における平均光通過率よりも小さくなり、その結果、実施形態１に係るマルチプロジェクションディスプレイ１００の場合と同様の効果を有する。
【０１４８】
すなわち、重畳領域に投写される光を正確に遮光するための複雑な機構を有する遮光板やそのような遮光板を正確に位置決めするための複雑な機構を必要とすることなく「黒浮き模様」の発生を抑制することができる。
【０１４９】
なお、マイクロミラーの面積は、マイクロミラーそのものの面積で調整することもできるし、マイクロミラー上に不透光性部材を部分的に形成することで調整することもできる。
【０１５０】
以上、本発明のマルチプロジェクションディスプレイ、プロジェクタユニット及び電気光学変調装置を上記の各実施形態に基づいて説明したが、本発明は上記の各実施形態に限られるものではなく、その要旨を逸脱しない範囲において種々の態様において実施することが可能であり、例えば次のような変形も可能である。 
【０１５１】
（１）上記した実施形態３又は４に係るマルチプロジェクションディスプレイ１００ｂ，１００ｃにおいては、液晶装置として、第１領域Ｒ１における各画素が半透光性部材で覆われている液晶装置を用いたが、本発明はこれに限られず、第１領域Ｒ１における各画素を通る光の光路上に半透光性部材が存在する液晶装置を用いることができる。
【０１５２】
（２）上記した実施形態７又は８に係るマルチプロジェクションディスプレイ１００ｆ，１００ｇにおいては、液晶装置として、第１領域Ｒ１における各画素が不透光性部材で覆われている液晶装置を用いたが、本発明はこれに限られず、第１領域Ｒ１における各画素を通る光の光路上に不透光性部材が存在する液晶装置を用いることができる。
【図面の簡単な説明】
【０１５３】
【図１】実施形態１に係るマルチプロジェクションディスプレイの構成を示す図。
【図２】実施形態１に係るマルチプロジェクションディスプレイに用いるプロジェクタユニットの光学系を示す図。
【図３】実施形態１に係るマルチプロジェクションディスプレイを説明するために示すブロック図。
【図４】実施形態１に係るマルチプロジェクションディスプレイにおける単位画像情報補正部の機能を説明するために示す図。
【図５】実施形態１に係るマルチプロジェクションディスプレイにおける単位画像情報補正部の機能を説明するために示す図。
【図６】実施形態１に係るマルチプロジェクションディスプレイにおける単位画像情報補正部の機能を説明するために示す図。
【図７】実施形態１に係るマルチプロジェクションディスプレイにおける単位画像情報補正部の機能を説明するために示す図。
【図８】実施形態１に係るマルチプロジェクションディスプレイに用いる液晶装置を説明するために示す図。
【図９】実施形態１に係るマルチプロジェクションディスプレイに用いる液晶装置を説明するために示す図。
【図１０】実施形態１に係るマルチプロジェクションディスプレイに用いる液晶装置を説明するために示す図。
【図１１】実施形態１に係るマルチプロジェクションディスプレイの効果を説明するために示す図。
【図１２】実施形態２に係るマルチプロジェクションディスプレイに用いる液晶装置を説明するために示す図。
【図１３】実施形態３に係るマルチプロジェクションディスプレイに用いる液晶装置を説明するために示す図。
【図１４】実施形態４に係るマルチプロジェクションディスプレイに用いる液晶装置を説明するために示す図。
【図１５】実施形態５に係るマルチプロジェクションディスプレイに用いる液晶装置を説明するために示す図。
【図１６】実施形態６に係るマルチプロジェクションディスプレイに用いる液晶装置を説明するために示す図。
【図１７】実施形態７に係るマルチプロジェクションディスプレイに用いる液晶装置を説明するために示す図。
【図１８】実施形態８に係るマルチプロジェクションディスプレイに用いる液晶装置を説明するために示す図。
【図１９】実施形態９に係るマルチプロジェクションディスプレイに用いる液晶装置を説明するために示す図。
【図２０】実施形態１０に係るマルチプロジェクションディスプレイに用いる液晶装置を説明するために示す図。
【図２１】実施形態１１に係るマルチプロジェクションディスプレイに用いるプロジェクタユニットの光学系を示す図。
【図２２】実施形態１２に係るマルチプロジェクションディスプレイを説明するために示す。
【図２３】実施形態１３に係るマルチプロジェクションディスプレイを説明するために示す図。
【図２４】実施形態１４に係るマルチプロジェクションディスプレイを説明するために示す図。
【図２５】マルチプロジェクションディスプレイを説明するために示す図。
【図２６】液晶装置を用いたプロジェクタにおける「黒浮き」を説明するために示す図。
【図２７】マルチプロジェクションディスプレイにおける「黒浮き模様」を説明するために示す図。
【図２８】従来のマルチプロジェクションディスプレイを説明するために示す図。
【符号の説明】
【０１５４】
１０…光源、１２…インテグレータレンズ、１４…偏光変換素子、１６…重畳レンズ、１８，２０…ダイクロイックミラー、２２，２４，２６…反射ミラー、２８，３０…レンズ、３２Ｒ，３２Ｇ，３２Ｂ，４０Ｒ，４０Ｇ，４０Ｂ，４２Ｒ，４２Ｇ，４２Ｂ，４４Ｒ，４４Ｇ，４４Ｂ，４６Ｒ，４６Ｇ，４６Ｂ，４８Ｒ，４８Ｇ，４８Ｂ，５０Ｒ，５０Ｇ，５０Ｂ，５２Ｒ，５２Ｇ，５２Ｂ，５４Ｒ，５４Ｇ，５４Ｂ，５６Ｒ，５６Ｇ，５６Ｂ…液晶装置、３４…偏光板、３６…クロスダイクロイックプリズム、３８…投写レンズ、５８Ｒ，５８Ｇ，５８Ｂ…反射型の液晶装置、６０Ｒ，６０Ｇ，６０Ｂ…マイクロミラー型光変調装置、７０Ｒ，７０Ｇ，７０Ｂ…固体光源、１００，９００…マルチプロジェクションディスプレイ、１０２…筐体、１０４…台、１０６…反射ミラー、１１０…制御部、１２０…単位画像情報生成部、１３０，ＰＪＡ，ＰＪＢ，ＰＪＣ，ＰＪＤ…プロジェクタユニット、１４０…撮像装置、１４２…撮像素子、１４４…ＡＤ変換素子、１４６…画像処理部、１５０…単位画像情報補正部、１５２…補正パラメータ記憶部、１５４…光学補正手段、１６０…画像信号受信部、１６２…調整用画像情報記憶部、９１０Ａ，９１０Ｂ，９１０Ｃ…遮光板、９１０ＡＢ，９１０ＢＡ，９１０ＢＣ，９１０ＣＢ，９１１，９１２，９１３，９１４…遮光部、ＩＡ，ＩＢ，ＩＣ，ＩＤ…単位投写画像、ＰＪ…プロジェクタ、Ｒ１，…第１領域、Ｒ１（２），Ｒ１（４）…第１領域における複数の領域、Ｒ２…第２領域、Ｓ…撮影範囲、Ｓ１，ＳＡＢ，ＳＡＣ，ＳＡＢＣＤ，ＳＢＤ，ＳＣＤ…重畳領域、Ｓ２，ＳＡ，ＳＢ，ＳＣ，ＳＤ…非重畳領域、ＳＣＲ…スクリーン
【図３】
2006053205.tif 000003
【図４】
2006053205.tif 000004
【図５】
2006053205.tif 000005
【図６】
2006053205.tif 000006
【図７】
2006053205.tif 000007
【図９】
2006053205.tif 000008
【図１２】
2006053205.tif 000009
【図１５】
2006053205.tif 000010
【図１６】
2006053205.tif 000011
【図１７】
2006053205.tif 000012
【図１８】
2006053205.tif 000013
【図１９】
2006053205.tif 000014
【図２０】
2006053205.tif 000015
【図２１】
2006053205.tif 000016
【図２２】
2006053205.tif 000017
【図２３】
2006053205.tif 000018
【図２４】
2006053205.tif 000019
【図２８】
2006053205.tif 000020
【図１】
2006053205.tif 000021
【図２】
2006053205.tif 000022
【図８】
2006053205.tif 000023
【図１０】
2006053205.tif 000024
【図１１】
2006053205.tif 000025
【図１３】
2006053205.tif 000026
【図１４】
2006053205.tif 000027
【図２５】
2006053205.tif 000028
【図２６】
2006053205.tif 000029
【図２７】
2006053205.tif 000030